(57)【特許請求の範囲】
【請求項１】
各種商品を情報通信網を介して消費者に販売するモールサーバにおいて、
出店企業の管理すべき商品情報を前記出店企業に関連付けて保持する情報保持手段と、
前記出店企業のＩＤ（IDentification）と前記出店企業の作業を代行する作業代行者のＩＤとの対応関係を格納する対応関係格納手段と、
前記作業代行者の端末装置から対応する前記出店企業の作業を代行するための要求を受信し、前記要求に含まれる前記作業代行者のＩＤがパスワードの入力により認証されて前記端末装置との間でセッションが張られた場合、前記対応関係格納手段から前記作業代行者のＩＤを検索し、前記作業代行者のＩＤと対応関係にある前記出店企業のＩＤを取得し、取得したＩＤで示される前記出店企業に対応する前記情報保持手段内の商品情報へのアクセスを前記作業代行者に対して許可すると共に、セッションが張られた前記作業代行者のＩＤを第１の環境変数に設定し、情報処理の対象として指定された前記出店企業のＩＤを第２の環境変数に設定し、前記第１の環境変数と前記第２の環境変数とを逐次チェックすることによりセッションを管理しており、前記作業代行者の前記端末装置との通信中にセッションが切断された場合、セッション再開後に、前記第１の環境変数に設定されたＩＤを参照して再開されたセッションの前記作業代行者を認識し、前記第２の環境変数に設定されたＩＤを参照してセッション切断前に情報処理の対象とされていた前記出店企業を認識し、セッション切断前と同じ前記出店企業の商品情報へのアクセスを、前記作業代行者に対して許可する許可手段と、
を有することを特徴とするモールサーバ。
【請求項２】
前記対応関係格納手段は、複数の出店企業と前記複数の出店企業の作業を一括して代行する前記作業代行者との対応関係を格納することを特徴とした請求項１記載のモールサーバ。
【請求項３】
前記許可手段は、前記消費者に対しては、販売する商品の商品情報の閲覧と注文情報の入力のみを許可することを特徴とする請求項１記載のモールサーバ。
【請求項４】
各種商品を情報通信網を介して消費者に販売するモールサーバプログラムを記録したコンピュータ読み取り可能な記録媒体において、
出店企業の管理すべき商品情報を前記出店企業に関連付けて保持する情報保持手段、
前記出店企業のＩＤと前記出店企業の作業を代行する作業代行者のＩＤとの対応関係を格納する対応関係格納手段、
前記作業代行者の端末装置から対応する前記出店企業の作業を代行するための要求を受信し、前記要求に含まれる前記作業代行者のＩＤがパスワードの入力により認証されて前記端末装置との間でセッションが張られた場合、前記対応関係格納手段から前記作業代行者のＩＤを検索し、前記作業代行者のＩＤと対応関係にある前記出店企業のＩＤを取得し、取得したＩＤで示される前記出店企業に対応する前記情報保持手段内の商品情報へのアクセスを前記作業代行者に対して許可すると共に、セッションが張られた前記作業代行者のＩＤを第１の環境変数に設定し、情報処理の対象として指定された前記出店企業のＩＤを第２の環境変数に設定し、前記第１の環境変数と前記第２の環境変数とを逐次チェックすることによりセッションを管理しており、前記作業代行者の前記端末装置との通信中にセッションが切断された場合、セッション再開後に、前記第１の環境変数に設定されたＩＤを参照して再開されたセッションの前記作業代行者を認識し、前記第２の環境変数に設定されたＩＤを参照してセッション切断前に情報処理の対象とされていた前記出店企業を認識し、セッション切断前と同じ前記出店企業の商品情報へのアクセスを、前記作業代行者に対して許可する許可手段、
としてコンピュータを機能させることを特徴とするモールサーバプログラムを記録したコンピュータ読み取り可能な記録媒体。
【発明の詳細な説明】
【０００１】
【発明の属する技術分野】
本発明はモールサーバに関し、特に商品販売業者の提供する商品を情報通信網を介して消費者に販売するモールサーバに関する。
【０００２】
【従来の技術】
近年、情報通信手段の発達に伴い、インターネットのような広域情報通信網を用いた様々なサービスが実施されている。このようなサービスの１つに、仮想ショッピングモールがある。仮想ショッピングモールへのアクセスによって消費者は提供されている商品情報の閲覧及び注文が可能となり、出店企業は商品情報の提供及び受注が可能となる。
【０００３】
図５は、従来の仮想ショッピングモールの構成を示す図である。
モールサーバ１００は、情報通信網１１０を介して出店企業１１１、１１２・・・の端末装置１１１ａ、１１２ａ・・・と接続される。また、情報通信網１２０を介して消費者１２１、１２２・・・の端末装置１２１ａ、１２２ａ・・・と接続される。
【０００４】
このような仮想ショッピングモールでは、出店企業１１１、１１２・・・及び消費者１２１、１２２・・・にはそれぞれ異なるＩＤ（IDentification）が設定され、さらにパスワードの設定及び更新によって情報の流出を防いでいる。
【０００５】
なお、仮想ショッピングモールにおいて出店企業１１１、１１２・・・は、端末装置１１１ａ、１１２ａ・・・を使用してモールサーバ１００に仮想店舗を設定し、商品情報を編集したり、注文情報（注文を受けた商品の個数や種別、商品を注文した消費者の情報等）を取得したりする。また、消費者１２１、１２２・・・は、端末装置１２１ａ、１２２ａ・・・を使用して、モールサーバ１００に設定された仮想店舗にアクセスし、商品情報を閲覧したり、商品に対し注文情報を入力したりする。
【０００６】
このように、仮想ショッピングモールを利用することによって、消費者は自宅に居ながら商品を購入することが可能となる。また、逆に、出店企業としては、来店しない消費者にも商品を購入させることが可能となる。
【０００７】
【発明が解決しようとする課題】
従来の仮想ショッピングモールでは、各出店企業がそれぞれ独自に仮想店舗を管理する必要があった。仮想店舗の管理には端末装置を使用した商品情報の編集や注文情報の取得等が含まれるので、知識のある担当者がいない出店企業には、この仮想店舗の管理を外部の作業代行者に依頼したいという要求がある。
【０００８】
しかし、従来のモールサーバで仮想店舗の管理を作業代行者に依頼する場合、出店企業は自らのＩＤ及びパスワードを作業代行者と共有しなければならなくなるという問題点があった。セキュリティの面から言っても、ＩＤやパスワードはその持ち主のみが知っているべきであり、作業代行者と出店企業とではあっても同一のパスワードは使用するべきではない。
【０００９】
本発明はこのような点に鑑みてなされたものであり、仮想ショッピングモールにおいて作業代行者が、出店企業のＩＤ及びパスワードを使用せずに仮想店舗を管理できるモールサーバを提供することを目的とする。
【００１０】
【課題を解決するための手段】
本発明では上記課題を解決するために、各種商品を情報通信網を介して消費者に販売するモールサーバにおいて、出店企業の管理すべき商品情報を前記出店企業に関連付けて保持する情報保持手段と、前記出店企業のＩＤ（IDentification）と前記出店企業の作業を代行する作業代行者のＩＤとの対応関係を格納する対応関係格納手段と、前記作業代行者の端末装置から対応する前記出店企業の作業を代行するための要求を受信し、前記要求に含まれる前記作業代行者のＩＤがパスワードの入力により認証されて前記端末装置との間でセッションが張られた場合、前記対応関係格納手段から前記作業代行者のＩＤを検索し、前記作業代行者のＩＤと対応関係にある前記出店企業のＩＤを取得し、取得したＩＤで示される前記出店企業に対応する前記情報保持手段内の商品情報へのアクセスを前記作業代行者に対して許可すると共に、セッションが張られた前記作業代行者のＩＤを第１の環境変数に設定し、情報処理の対象として指定された前記出店企業のＩＤを第２の環境変数に設定し、前記第１の環境変数と前記第２の環境変数とを逐次チェックすることによりセッションを管理しており、前記作業代行者の前記端末装置との通信中にセッションが切断された場合、セッション再開後に、前記第１の環境変数に設定されたＩＤを参照して再開されたセッションの前記作業代行者を認識し、前記第２の環境変数に設定されたＩＤを参照してセッション切断前に情報処理の対象とされていた前記出店企業を認識し、セッション切断前と同じ前記出店企業の商品情報へのアクセスを、前記作業代行者に対して許可する許可手段と、を有することを特徴とするモールサーバが提供される。
【００１１】
このようなモールサーバで各種商品を情報通信網を介して消費者に販売する場合、情報保持手段は出店企業の管理すべき商品情報を保持する。対応関係格納手段は、出店企業と出店企業の作業を代行する作業代行者との対応関係を格納する。そして許可手段は、作業代行者に対しては、対応関係にある出店企業の管理すべき商品情報を保持する情報保持手段へのアクセスを許可する。
【００１２】
このように、モールサーバにて出店企業と作業代行者との対応関係を管理することによって、作業代行者は出店企業のＩＤ及びパスワードを使用しなくとも仮想店舗の管理が可能となり、セキュリティが確保できるようになる。
【００１３】
また、上記課題を解決するために、各種商品を情報通信網を介して消費者に販売するモールサーバプログラムを記録したコンピュータ読み取り可能な記録媒体において、出店企業の管理すべき商品情報を前記出店企業に関連付けて保持する情報保持手段、前記出店企業のＩＤと前記出店企業の作業を代行する作業代行者のＩＤとの対応関係を格納する対応関係格納手段、前記作業代行者の端末装置から対応する前記出店企業の作業を代行するための要求を受信し、前記要求に含まれる前記作業代行者のＩＤがパスワードの入力により認証されて前記端末装置との間でセッションが張られた場合、前記対応関係格納手段から前記作業代行者のＩＤを検索し、前記作業代行者のＩＤと対応関係にある前記出店企業のＩＤを取得し、取得したＩＤで示される前記出店企業に対応する前記情報保持手段内の商品情報へのアクセスを前記作業代行者に対して許可すると共に、セッションが張られた前記作業代行者のＩＤを第１の環境変数に設定し、情報処理の対象として指定された前記出店企業のＩＤを第２の環境変数に設定し、前記第１の環境変数と前記第２の環境変数とを逐次チェックすることによりセッションを管理しており、前記作業代行者の前記端末装置との通信中にセッションが切断された場合、セッション再開後に、前記第１の環境変数に設定されたＩＤを参照して再開されたセッションの前記作業代行者を認識し、前記第２の環境変数に設定されたＩＤを参照してセッション切断前に情報処理の対象とされていた前記出店企業を認識し、セッション切断前と同じ前記出店企業の商品情報へのアクセスを、前記作業代行者に対して許可する許可手段、としてコンピュータを機能させることを特徴とするモールサーバプログラムを記録したコンピュータ読み取り可能な記録媒体が提供される。
【００１４】
この記録媒体に記録されたモールサーバプログラムをコンピュータに実行させれば、上記本発明に係るモールサーバの機能がコンピュータ上で実現される。
【００１５】
【発明の実施の形態】
以下、本発明の実施の形態を図面を参照して説明する。
図１は、本発明のモールサーバを使用した仮想ショッピングモールの原理構成を示す図である。
【００１６】
本発明のモールサーバ１は、情報通信網２を介して提供された各種商品を情報通信網６を介して消費者７に販売する。
ここで、この仮想ショッピングモールに商品を提供するのは、出店企業３１、３２、３３・・・、４１、４２、４３・・・である。出店企業３１、３２、３３・・・、４１、４２、４３・・・は端末装置３１ａ、３２ａ、３３ａ・・・、４１ａ、４２ａ、４３ａ・・・を保有している。そして、この端末装置３１ａ、３２ａ、３３ａ・・・、４１ａ、４２ａ、４３ａ・・・にて情報通信網２と接続され、商品情報の提供及び注文情報の取得といった作業を含んだ仮想店舗管理を行う。また、作業代行者５は端末装置５ａを保有しており、この端末装置５ａにて情報通信網と接続される。そして作業代行を依頼されている出店企業４１、４２、４３・・・の仮想店舗管理に伴う作業を代行する。
【００１７】
モールサーバ１は、情報保持手段１ａと、対応関係格納手段１ｂと、許可手段１ｃとを有している。情報保持手段１ａは、提供された商品情報及び消費者７から入力される注文情報を、商品を提供した出店企業に対応付けて保持する。また、対応関係格納手段１ｂは、出店企業４１、４２、４３・・・と作業代行者５との対応関係を格納する。
【００１８】
出店企業３１、３２、３３・・・、４１、４２、４３・・・、作業代行者５には、それぞれ異なるＩＤが設定され、さらにパスワードが設定されている。許可手段１ｃは、設定されているＩＤ及びパスワードに基づき、出店企業３１、３２、３３・・・に対応付けて保持されている商品情報及び注文情報の取り扱いを出店企業３１、３２、３３・・・のみに許可する。また、対応関係格納手段１ｂに格納されている対応関係に基づき、出店企業４１、４２、４３・・・に対応付けて保持されている商品情報及び注文情報の取り扱いを、作業代行者５に対しては許可する。
【００１９】
このように、本発明では、モールサーバ１にて出店企業４１、４２、４３・・・と作業代行者５との対応関係を管理する。そして、作業代行者５に対しては作業代行者５のＩＤ及びパスワードで出店企業４１、４２、４３・・・の仮想店舗の管理を許可する。従って、作業代行者５は、出店企業４１、４２、４３・・・のＩＤ及びパスワードを使用する必要がなくなり、セキュリティが確保できるようになる。
【００２０】
ここで、本発明のモールサーバ１に情報通信網２を介したアクセスがあった場合の処理について説明する。
図２は、本発明のモールサーバ１の、情報通信網２を介したアクセスに対する処理の手順を示したフローチャートである。
【００２１】
ここでモールサーバ１はＷＷＷ（World Wide Web）サーバ、情報通信網２はインターネットであるとする。端末装置３１ａ、３２ａ、３３ａ・・・、４１ａ、４２ａ、４３ａ・・・、５ａではブラウザが動作し、出店企業３１、３２、３３・・・、４１、４２、４３・・・、及び作業代行者５は、各自のＩＤ及びパスワードにてモールサーバ１にアクセスする。また、ここでは何らかの処理の度に画面が切り替わり、その都度セッションが切断される。そこで、アクセスしているユーザのＩＤを保持する環境変数ＲＥＭＯＲＴ＿ＵＳＥＲと、管理する仮想店舗の出店企業のＩＤを保持する環境変数ＣＯＯＫＩＥとを設定し、この２つの環境変数を逐次チェックすることによって、ユーザの同一性を確認する。
【００２２】
［Ｓ１］モールサーバ１は、アクセス元の端末装置に認証画面を表示してＩＤ及びパスワードを入力させ、これを取得する。
［Ｓ２］モールサーバ１は、環境変数ＲＥＭＯＲＴ＿ＵＳＥＲに、取得したＩＤを設定する。
［Ｓ３］モールサーバ１は、取得したＩＤ及びパスワードを後述する認証テーブルにて照会し、アクセス元がどの出店企業であるか、もしくはどの作業代行者であるか、特定する。取得したＩＤ及びパスワードでは認証が不可能な場合、ステップＳ１に戻る。また、取得したＩＤが出店企業のものであると認証された場合にはステップＳ４に、取得したＩＤが作業代行者のものであると認証された場合にはステップＳ６に進む。
［Ｓ４］モールサーバ１は、出店企業の端末装置に、予め格納されている出店企業自身のホームページを表示する。
［Ｓ５］出店企業は、表示されているホームページにて、出店企業自身の提供する商品情報の編集や商品に対する注文情報の取得といった情報処理を行い、このフローチャートの処理を終了する。
［Ｓ６］モールサーバ１は、作業代行者の端末装置に、予め格納されている作業代行者自身のホームページを表示する。
［Ｓ７］モールサーバ１は、環境変数ＣＯＯＫＩＥを初期化する。
［Ｓ８］モールサーバ１は後述するテナントテーブルを検索して、作業代行者が作業を代行する出店企業の一覧を、作業代行者の端末装置に表示しているホームページ内に表示する。
［Ｓ９］作業代行者は、表示されているホームページにて、情報処理の対象とする出店企業を指定する。指定がなければ、このフローチャートの処理は終了となる。
［Ｓ１０］モールサーバ１は、環境変数ＣＯＯＫＩＥに、指定された出店企業のＩＤを設定する。
［Ｓ１１］モールサーバ１は、作業代行者の端末装置に、予め設定されている作業代行画面を表示する。
［Ｓ１２］作業代行者は、表示されている作業代行画面にて、指定した出店企業の提供する商品情報の編集や商品に対する注文情報の取得といった情報処理を行い、再度ステップＳ９に進む。
【００２３】
ここで、モールサーバ１に格納されている各種テーブルについて説明する。
図３は、本発明のモールサーバ１に設けられるテーブルの例を示した図であって、図３（Ａ）は認証テーブルの例を示した図、図３（Ｂ）はテナントテーブルの例を示した図、図３（Ｃ）は作業代行者テーブルの例を示した図である。
【００２４】
モールサーバ１では、図３（Ａ）に示したように、認証テーブル１０にＩＤとパスワードを対応させて保持している。また、図３（Ｂ）に示したように、テナントテーブル２０に出店企業名とＩＤ、及びその出店企業の作業を代行する作業代行者のＩＤを対応させて保持している。そして、図３（Ｃ）に示したように、作業代行者名とＩＤとを対応させて保持している。
【００２５】
なお、本発明では出店企業のＩＤと作業代行者のＩＤとに明確な違いを設けてある。図３に示した例では、７バイトで構成されたＩＤの上位３バイトが、作業代行者の場合は「ＩＤＫ」であり、出店企業の場合は「ＩＤＳ」である。また、作業代行者のＩＤでは、下位４バイトのうち最初の２バイトには「００」を、残りの２バイトにはシーケンシャル番号を使用する。さらに出店企業のＩＤでは、下位４バイトのうち最初の２バイトには、その出店企業の作業を代行する作業代行者のＩＤの末尾２バイトのコピーを、残りの２バイトにはシーケンシャル番号を使用する。
【００２６】
従って、図３（Ａ）に示した認証テーブル１０には、ＩＤ「ＩＤＫ０００１」を有する作業代行者と、ＩＤ「ＩＤＳ０１０１」を有する出店企業と、ＩＤ「ＩＤＳ０１０２」を有する出店企業と、が格納されていることが判る。また、ＩＤ「ＩＤＫ０００２」を有する作業代行者と、ＩＤ「ＩＤＳ０２０１」を有する出店企業と、ＩＤ「ＩＤＳ０２０２」を有する出店企業と、が格納されていることが判る。これらのユーザにはそれぞれ固有のパスワードが対応付けられており、別のユーザのパスワードを見ることはできない。
【００２７】
さらに、図３（Ｂ）に示したテナントテーブル２０から、ＩＤ「ＩＤＳ０１０１」の出店企業は「テナントＡ」であり、ＩＤ「ＩＤＳ０１０２」の出店企業は「テナントＢ」であり、ともにＩＤ「ＩＤＫ０００１」の作業代行者に仮想店舗の管理を代行させていることが判る。同様に、ＩＤ「ＩＤＳ０２０１」の出店企業は「テナントＣ」であり、ＩＤ「ＩＤＳ０２０２」の出店企業は「テナントＤ」であり、ともにＩＤ「ＩＤＫ０００２」の作業代行者に仮想店舗の管理を代行させていることが判る。
【００２８】
また、図３（Ｃ）に示した作業代行者テーブル３０から、ＩＤ「ＩＤＫ０００１」の作業代行者は「作業代行会社Ｘ」であり、ＩＤ「ＩＤＫ０００２」の作業代行者は「作業代行会社Ｙ」であることが判る。
【００２９】
このように本発明では、仮想ショッピングモールに関わる出店企業や作業代行者のＩＤを設定する際、作業を作業代行者に代行させる出店企業のＩＤに関しては、その作業代行者のＩＤを推測できるような構成とする。このため、出店企業と作業代行者との対応関係がＩＤから簡単に把握できる。
【００３０】
次に、図２のフローチャートでステップＳ５及びステップＳ１２に当たる情報処理について説明する。
図４は本発明のモールサーバ１における情報処理の手順を示すフローチャートである。図２のフローチャートで示したステップＳ５とステップＳ１２はいずれも、ここで手順を示す情報処理に対応している。なお、端末装置に表示されるのは、ステップＳ５では出店企業のホームページであり、ステップＳ１２では作業代行者のホームページであるが、いずれの場合にも、作業として商品情報の編集もしくは注文情報の取得を選択することが可能となっている。
【００３１】
［Ｓ２１］モールサーバ１は、端末装置の表示画面において選択されたのが、商品情報の編集であるか注文情報の取得であるか判断する。選択されたのが商品情報の編集であればステップＳ２２へ、注文情報の取得であればステップＳ２７へ進む。
［Ｓ２２］端末装置に、予め設定されている商品情報編集画面が表示される。
［Ｓ２３］モールサーバ１は、環境変数ＲＥＭＯＲＴ＿ＵＳＥＲをチェックする。すなわち、ＲＥＭＯＲＴ＿ＵＳＥＲに設定されているＩＤが出店企業のものであるか作業代行者のものであるか判断し、出店企業のものであればステップＳ２５へ、作業代行者のものであればステップＳ２４へ進む。
［Ｓ２４］モールサーバ１は、環境変数ＣＯＯＫＩＥをチェックする。すなわち、ＣＯＯＫＩＥに設定されているＩＤをテナントテーブルにて照合し、ＲＥＭＯＲＴ＿ＵＳＥＲである作業代行者に作業を代行させるか否か判断する。作業を代行させて良いと判断された場合にはステップＳ２５へ、代行させない場合にはステップＳ２６へ進む。
［Ｓ２５］端末装置の商品情報編集画面には、情報処理の対象となっている出店企業が予め商品情報を提供していればその情報が呼び出される。ユーザは、商品情報の変更や追加、削除等の編集処理を行う。
［Ｓ２６］モールサーバ１は端末装置にエラーメッセージを出力して処理を終了する。
【００３２】
［Ｓ２７］端末装置に、予め設定されている注文情報取得画面が表示される。
［Ｓ２８］モールサーバ１は、環境変数ＲＥＭＯＲＴ＿ＵＳＥＲをチェックする。すなわち、ＲＥＭＯＲＴ＿ＵＳＥＲに設定されているＩＤが出店企業のものであるか作業代行者のものであるか判断し、出店企業のものであればステップＳ３０へ、作業代行者のものであればステップＳ２９へ進む。
［Ｓ２９］モールサーバ１は、環境変数ＣＯＯＫＩＥをチェックする。すなわち、ＣＯＯＫＩＥに設定されているＩＤをテナントテーブルにて照合し、ＲＥＭＯＲＴ＿ＵＳＥＲである作業代行者に作業を代行させるか否か判断する。作業を代行させて良いと判断された場合にはステップＳ３０へ、代行させない場合にはステップＳ３１へ進む。
［Ｓ３０］端末装置の注文情報取得画面には、情報処理の対象となっている出店企業が提供している商品に対する注文情報が呼び出され、ユーザは、これを取得する。
［Ｓ３１］モールサーバ１は端末装置にエラーメッセージを出力して処理を終了する。
【００３３】
このように、本発明では環境変数ＲＥＭＯＲＴ＿ＵＳＥＲ及び環境変数ＣＯＯＫＩＥを設定し、これらの環境変数をチェックに使用するので、処理画面を移る度にユーザにＩＤやパスワードを入力させる作業が不要となる。
【００３４】
以上説明したように、本発明のモールサーバ１を使用した仮想ショッピングモールでは、作業代行者が出店企業のＩＤ及びパスワードを使用しなくとも仮想店舗の管理が可能となるので、セキュリティが確保できるようになる。
【００３５】
さらに、モールサーバ１は、出店企業とその出店企業の作業を代行する作業代行者との対応関係を保持しており、環境変数等を使用して逐次そのチェックを行っているので、対応関係のない作業代行者が出店企業の情報を処理してしまう事故を防ぐことができる。
【００３６】
また、モールサーバ１がこのようなチェック機構を備えているため、複数の出店企業の作業を代行する場合でも、作業代行者は自らのＩＤ及びパスワードのみを管理すればよい。
【００３７】
さらに作業代行者は作業を代行する出店企業が複数存在する場合に、その仮想店舗を仮想ショッピングモール内でさらにモール化し、消費者がその商品情報をまとめて閲覧できるようにすることもできる。
【００３８】
なお、上記の処理機能は、コンピュータによって実現することができる。その場合、モールサーバが有すべき機能の処理内容は、コンピュータで読み取り可能な記録媒体に記録されたプログラムに記述されており、このプログラムをコンピュータで実行することにより、上記処理がコンピュータで実現される。コンピュータで読み取り可能な記録媒体としては、磁気記録装置や半導体メモリ等がある。市場を流通させる場合には、ＣＤ−ＲＯＭ(Compact Disk Read Only Memory) やフロッピーディスク等の可搬型記録媒体にプログラムを格納して流通させたり、ネットワークを介して接続されたコンピュータの記憶装置に格納しておき、ネットワークを通じて他のコンピュータに転送することもできる。コンピュータで実行する際には、コンピュータ内のハードディスク装置等にプログラムを格納しておき、メインメモリにロードして実行する。
【００３９】
【発明の効果】
以上説明したように、本発明のモールサーバには、出店企業とその作業を代行する作業代行者との対応関係を格納する対応関係格納手段と、この対応関係に基づいて、作業代行者に出店企業の情報の処理を許可する許可手段とを設けたので、作業代行者は出店企業のＩＤ及びパスワードを使用しなくとも出店企業の作業を代行できるようになり、セキュリティの確保が可能となる。
【００４０】
また、本発明のモールサーバプログラムを記録したコンピュータ読み取り可能な記録媒体では、出店企業とその作業を代行する作業代行者との対応関係を格納する対応関係格納手段と、この対応関係に基づいて、作業代行者に出店企業の情報の処理を許可する許可手段とを設けたので、作業代行者は出店企業のＩＤ及びパスワードを使用しなくとも出店企業の作業を代行できるようになり、セキュリティの確保が可能モールサーバをコンピュータで構築できる。
【図面の簡単な説明】
【図１】本発明のモールサーバを使用した仮想ショッピングモールの原理構成を示す図である。
【図２】本発明のモールサーバの、情報通信網を介したアクセスに対する処理の手順を示したフローチャートである。
【図３】本発明のモールサーバ１に設けられるテーブルの例を示した図であって、（Ａ）は認証テーブルの例を示した図、（Ｂ）はテナントテーブルの例を示した図、（Ｃ）は作業代行者テーブルの例を示した図である。
【図４】本発明のモールサーバにおける情報処理の手順を示すフローチャートである。
【図５】従来の仮想ショッピングモールの構成を示す図である。
【符号の説明】
１  モールサーバ
１ａ  情報保持手段
１ｂ  対応関係格納手段
１ｃ  許可手段
２  情報通信網
３１、３２、３３・・・  出店企業
３１ａ、３２ａ、３３ａ・・・  端末装置
４１、４２、４３・・・  出店企業
４１ａ、４２ａ、４３ａ・・・  端末装置
５  作業代行者
５ａ  端末装置
６  情報通信網
７  消費者
【図１】
0003846994.tif 000002
【図２】
0003846994.tif 000003
【図３】
0003846994.tif 000004
【図４】
0003846994.tif 000005
【図５】
0003846994.tif 000006